(57)【要約】【課題】中間転写ベルトがローラに巻き掛けられた状態で停滞したときに発生する巻き癖に重ねて基準画像を転写した場合によるセンサの検出誤差を、本構成を有しない場合に比べて低減する。【解決手段】中間転写ベルト１６の幅方向に渡り、同一の巻き癖がついているため、パッチ１１０と中間転写ベルト１６の素面枠１１０Ｓとを、中間転写ベルト１６の幅方向両端部に対称的に設け、巻き癖に起因する出力変動を同一条件として、それぞれを検出し、その相対差に基づいて、巻き癖に起因する検出誤差を相殺するようにした。すなわち、パッチ１１０をセンサ１１２Ａで検出する時期と、素面枠１１０Ｓをセンサ１１２Ｂで検出時期を同一時期とした。【選択図】図６
2010145791.tif 000002
【特許請求の範囲】
【請求項１】
ローラに巻き掛けられることで方向転換しながら移動し、少なくとも現像された画像が転写される転写ベルトと、
転写ベルト上に、基準画像を転写する基準画像転写手段と、
前記転写ベルトの幅方向において、前記ローラの軸線と平行な線上における互いに異なる位置に配置され、それぞれ同一時期に、当該転写ベルトの素面の状態及び前記基準画像面の濃度を別々に検出する一対のセンサと、
前記転写ベルトの素面領域及び前記基準画像面領域のそれぞれにおける前記一対のセンサからの出力値に基づいて、前記基準画像面の濃度を確定する濃度確定手段と、
を有する濃度検出装置。
【請求項２】
前記センサからの出力値として、前記転写ベルトの素面領域及び前記基準画像面領域のそれぞれ単位領域内から複数の出力値を抽出する抽出手段をさらに有し、
前記濃度確定手段が、当該抽出した出力値の最大値と最小値を除く出力値の平均値を、確定濃度とする請求項１記載の濃度検出装置。
【請求項３】
前記濃度確定手段が、前記一対のセンサのそれぞれを用いて、同一時期に検出した基準画像面の出力値と、前記転写ベルトの素面の出力値とを対比することで、前記基準画像面の濃度を確定する請求項１又は請求項２記載の濃度検出装置。
【請求項４】
画像データに基づいて、像担持体上に静電潜像を形成し、かつトナーを供給することで現像する画像形成部と、
ローラに巻き掛けられることで方向転換しながら移動し、少なくとも現像された画像が転写される転写ベルトと、
前記転写ベルト上に、基準画像を転写する基準画像転写手段と、
前記転写ベルトの幅方向において、前記ローラの軸線と平行な線上の異なる位置、かつ同一時期に、当該転写ベルトの素面の状態及び前記基準画像面の濃度をそれぞれ別々検出する一対のセンサと、
前記転写ベルトの素面領域及び前記基準画像面領域のそれぞれにおける前記一対のセンサからの出力値に基づいて、前記基準画像面の濃度を確定する濃度確定手段と、
を有する画像形成装置。
【請求項５】
前記センサからの出力値として、前記転写ベルトの素面領域及び前記基準画像面領域のそれぞれ単位領域内から複数の出力値を抽出する抽出手段をさらに有し、
前記濃度確定手段が、前記抽出した出力値の最大値と最小値を除く出力値の平均値を確定濃度とする請求項４記載の画像形成装置。
【請求項６】
前記濃度確定手段が、前記一対のセンサのそれぞれを用いて、同一時期に検出した基準画像面の出力値と、前記中間転写ベルトの素面の出力値とを対比することで、前記基準画像面の濃度を確定する請求項４又は請求項５記載の濃度検出装置。
【請求項７】
前記基準画像が、前記転写ベルトの移動方向に沿って、制御対象に応じて複数種類転写され、この制御対象が、少なくとも、前記トナーの静電容量を含む現像状態を制御するトナーコンディション制御、前記記録用紙に最終的に転写されたときの濃度を制御する画像濃度制御、前記画像データにより指示する指示値と実際の濃度値との特性を制御する指示値−濃度値特性制御を含む請求項４〜請求項６の何れか１項記載の画像形成装置。
【請求項８】
コンピュータを、請求項１〜請求項３の何れか１項記載の濃度検出装置として機能させるための濃度検出プログラム。
【発明の詳細な説明】
【技術分野】
【０００１】
本発明は、濃度検出装置、画像形成装置、濃度検出プログラムに関する。
【背景技術】
【０００２】
現像剤としてトナーを用い、原画像に基づいて画像を形成する画像形成装置では、原画像（例えば、画像データ）に基づいて、感光体ドラムに静電潜像を形成した状態で、トナーを供給することでトナー像を生成する。
【０００３】
トナー像は、記録用紙に転写されたトナー像は、定着部を通過することで定着し、排出される。
【０００４】
上記画像形成装置では、原画像（画像データ）に忠実なトナー濃度で記録用紙に画像形成することが要求される。このため、中間転写ベルト若しくは用紙搬送ベルト等の転写ベルト上に「トナーマーク」、「パッチ」、「基準パターン」等と称される基準画像を形成し、この基準画像のトナー濃度（トナー付着量）をセンサで検出し、この検出値に基づいて、適正な濃度に補正することがなされている。この場合、検出した基準画像の濃度は、転写ベルトの素面の濃度状態の影響を受けるため、当該素面の濃度も併せて検出され考慮される。
【０００５】
なお、このセンサによる検出値は、装置内に蓄積されているトナーの残量の判定にも利用可能である。
【０００６】
特許文献１には、静電潜像担持体に形成した基準パターンの潜像を現像手段でトナーを付着させて可視化した後、転写ベルト又は転写ドラムに転写し、転写後の基準パターンの濃度を検出して画像濃度を自動調整する画像形成装置において、基準パターン転写前に、回動中の該転写ベルト又は該転写ドラム上の基準パターン転写位置の地肌状態（素面）を検出する地肌状態検出手段を有し、転写ベルト又は転写ドラム上の地肌状態が、予め定められた差分対象値よりも大きく変化する値の領域を回避した位置に基準パターンを形成し、基準パターンの濃度を検出し、基準パターン濃度検出値と地肌状態（素面）検出値を用いて、画像濃度を自動調整する。
【特許文献１】特開平１１−２４９３４９号（特許第３８１７８９１号）公報
【発明の開示】
【発明が解決しようとする課題】
【０００７】
本発明は、転写ベルトがローラに巻き掛けられた状態で停滞したときに発生する巻き癖に重ねて基準画像を転写した場合によるセンサの検出誤差を、本構成を有しない場合に比べて低減することを目的とする。
【課題を解決するための手段】
【０００８】
請求項１に記載の発明は、ローラに巻き掛けられることで方向転換しながら移動し、少なくとも現像された画像が転写される転写ベルトと、転写ベルト上に、基準画像を転写する基準画像転写手段と、前記転写ベルトの幅方向において、前記ローラの軸線と平行な線上における互いに異なる位置に配置され、それぞれ同一時期に、当該転写ベルトの素面の状態及び前記基準画像面の濃度を別々に検出する一対のセンサと、前記転写ベルトの素面領域及び前記基準画像面領域のそれぞれにおける前記一対のセンサからの出力値に基づいて、前記基準画像面の濃度を確定する濃度確定手段と、を有している。
【０００９】
請求項２に記載の発明は、前記請求項１に記載の発明において、前記センサからの出力値として、前記転写ベルトの素面領域及び前記基準画像面領域のそれぞれ単位領域内から複数の出力値を抽出する抽出手段をさらに有し、前記濃度確定手段が、当該抽出した出力値の最大値と最小値を除く出力値の平均値を、確定濃度とする。
【００１０】
請求項３に記載の発明は、前記請求項１又は請求項２に記載の発明において、前記濃度確定手段が、前記一対のセンサのそれぞれを用いて、同一時期に検出した基準画像面の出力値と、前記転写ベルトの素面の出力値とを対比することで、前記基準画像面の濃度を確定する。
【００１１】
請求項４に記載の発明は、画像データに基づいて、像担持体上に静電潜像を形成し、かつトナーを供給することで現像する画像形成部と、ローラに巻き掛けられることで方向転換しながら移動し、少なくとも現像された画像が転写される転写ベルトと、前記転写ベルト上に、基準画像を転写する基準画像転写手段と、前記転写ベルトの幅方向において、前記ローラの軸線と平行な線上の異なる位置、かつ同一時期に、当該転写ベルトの素面の状態及び前記基準画像面の濃度をそれぞれ別々検出する一対のセンサと、前記転写ベルトの素面領域及び前記基準画像面領域のそれぞれにおける前記一対のセンサからの出力値に基づいて、前記基準画像面の濃度を確定する濃度確定手段と、を有している。
【００１２】
請求項５に記載の発明は、前記請求項４に記載の発明において、前記センサからの出力値として、前記転写ベルトの素面領域及び前記基準画像面領域のそれぞれ単位領域内から複数の出力値を抽出する抽出手段をさらに有し、前記濃度確定手段が、前記抽出した出力値の最大値と最小値を除く出力値の平均値を確定濃度とする。
【００１３】
請求項６に記載の発明は、前記請求項４又は請求項５に記載の発明において、前記濃度確定手段が、前記一対のセンサのそれぞれを用いて、同一時期に検出した基準画像面の出力値と、前記中間転写ベルトの素面の出力値とを対比することで、前記基準画像面の濃度を確定する。
【００１４】
請求項７に記載の発明は、請求項４〜請求項６の何れか１項記載の発明において、前記基準画像が、前記転写ベルトの移動方向に沿って、制御対象に応じて複数種類転写され、この制御対象が、少なくとも、前記トナーの静電容量を含む現像状態を制御するトナーコンディション制御、前記記録用紙に最終的に転写されたときの濃度を制御する画像濃度制御、前記画像データにより指示する指示値と実際の濃度値との特性を制御する指示値−濃度値特性制御を含む。
【００１５】
請求項８に記載の発明は、コンピュータを、請求項１〜請求項３の何れか１項記載の濃度検出装置として機能させるための濃度検出プログラムである。
【発明の効果】
【００１６】
請求項１記載の発明によれば、転写ベルトがローラに巻き掛けられた状態で停滞したときに発生する巻き癖に重ねて基準画像を転写した場合によるセンサの検出誤差を、転写ベルトの素面の状態及び基準画像面の濃度を別々に検出する一対のセンサを設けない場合に比べて低減することができる。
【００１７】
請求項２に記載の発明によれば、出力値の最大値と最小値を除く出力値の平均値を確定濃度としない場合に比べて、濃度確定の精度を上げることができる。
【００１８】
請求項３に記載の発明によれば、転写ベルトの経時的変化や場所の違いによる濃度差を相殺することができる。
【００１９】
請求項４に記載の発明によれば、転写ベルトがローラに巻き掛けられた状態で停滞したときに発生する巻き癖に重ねて基準画像を転写した場合によるセンサの検出誤差を、転写ベルトの素面の状態及び基準画像面の濃度を別々に検出する一対のセンサを設けない場合に比べて低減することができる。  請求項５に記載の発明によれば、出力値の最大値と最小値を除く出力値の平均値を確定濃度としない場合に比べて、濃度確定の精度を上げることができる。
【００２０】
請求項６に記載の発明によれば、転写ベルトの経時的変化や場所の違いによる濃度差を相殺することができる。
【００２１】
請求項７に記載の発明によれば、本構成を有しない場合に比べて、少なくとも、トナーコンディション制御、画像濃度制御、指示値−濃度値特性制御を精度よく実行することができる。
【００２２】
請求項８に記載の発明によれば、転写ベルトがローラに巻き掛けられた状態で停滞したときに発生する巻き癖に重ねて基準画像を転写した場合によるセンサの検出誤差を、転写ベルトの素面の状態及び基準画像面の濃度を別々に検出する一対のセンサを設けない場合に比べて低減することができる。
【発明を実施するための最良の形態】
【００２３】
図１には、画像形成装置としてのプリンタ１０が示されている。プリンタ１０は、フルカラー画像又は白黒画像を形成するデジタルプリンタである。
【００２４】
プリンタ１０内部の上方には、イエロー（Ｙ）、マゼンタ（Ｍ）、シアン（Ｃ）、ブラック（Ｋ）の各トナーを収容するトナーカートリッジ１１Ｙ、１１Ｍ、１１Ｃ、１１Ｋが交換可能に設けられている。なお、以後の説明では、イエロー、マゼンタ、シアン、ブラック（黒）の各色に対応する部材の符号にＹ、Ｍ、Ｃ、Ｋを付与して区別する。
【００２５】
トナーカートリッジ１１Ｙ、１１Ｍ、１１Ｃ、１１Ｋには、それぞれトナー供給路１３Ｙ、１３Ｍ、１３Ｃ、１３Ｋの一端が接続されている。なお、トナー供給路１３Ｙ、１３Ｍ、１３Ｃ、１３Ｋは、円管部材で構成されており、プリンタ１０の側面に沿って下方側へ向けられた配置となっているが、途中経路の図示は省略している。
【００２６】
また、プリンタ１０内部の中央には、Ｙ、Ｍ、Ｃ、Ｋの現像剤に対応する４つの画像形成ユニット１２（１２Ｙ、１２Ｍ、１２Ｃ、１２Ｋ）が、図１の正面視にて右斜め下方に向けて互いに一部を重ねた状態で配置されている。
【００２７】
画像形成ユニット１２は、感光体２８を備えている。感光体２８の周囲には、感光体２８の表面に接触して感光体２８を一様に帯電する帯電装置の一例としての帯電ロールと、前述の露光光Ｌにより感光体２８上に形成された静電潜像を各色の現像剤（トナー）で現像する現像部と、転写後の感光体２８の表面に光を照射して除電を行う除電装置の一例としてのイレーズランプと、除電後の感光体２８の表面を清掃するクリーニングユニットとが設けられている。
【００２８】
現像剤は、非磁性タイプのトナーと、磁性を有するキャリアとが混合されたものである。ここで、トナー供給路１３Ｙ、１３Ｍ、１３Ｃ、１３Ｋの他端が、４つの画像形成ユニット１２Ｙ、１２Ｍ、１２Ｃ、１２Ｋにそれぞれ接続されており、各色のトナーが各画像形成ユニット１２に供給されるようになっている。
【００２９】
各画像形成ユニット１２Ｙ、１２Ｍ、１２Ｃ、１２Ｋの上方には、転写部１４が設けられている。転写部１４は、中間転写ベルト１６と、中間転写ベルト１６の内側に配置され、各画像形成ユニット１２Ｙ、１２Ｍ、１２Ｃ、１２Ｋの各トナー像を中間転写ベルト１６に多重転写させる４つの一次転写部材としての一次転写ロール１８Ｙ、１８Ｍ、１８Ｃ、１８Ｋと、中間転写ベルト１６上で重ねられたトナー像を、記録用紙Ｐに転写させる二次転写ロール２０とを有している。
【００３０】
中間転写ベルト１６は、図示しないモータで駆動される駆動ロール２２と、中間転写ベルト１６の張力を調整するテンションロール２４と、二次転写ロール２０と対向配置されたバックアップロール２６とで構成されるローラ群に、一定の張力で巻き掛けられており、駆動ロール２２により、図１の矢印Ｘ方向（反時計回り方向）に周回駆動されるようになっている。
【００３１】
一次転写ロール１８Ｙ、１８Ｍ、１８Ｃ、１８Ｋは、中間転写ベルト１６を挟んでそれぞれの画像形成ユニット１２Ｙ、１２Ｍ、１２Ｃ、１２Ｋの感光体２８（２８Ｙ、２８Ｍ、２８Ｃ、２８Ｋ）と対向配置されている。また、一次転写ロール１８Ｙ、１８Ｍ、１８Ｃ、１８Ｋは、給電ユニット（図示省略）によって、トナー極性とは逆極性（本実施形態では一例として正極性）の転写バイアス電圧が印加されるようになっている。なお、二次転写ロール２０も、給電ユニットによって、トナー極性とは逆極性の転写バイアス電圧が付与されるようになっている。
【００３２】
また、中間転写ベルト１６の駆動ロール２２が設けられている位置の外周面には、クリーニング装置３０が設けられている。クリーニング装置３０は、クリーニングブラシ３２及びクリーニングブレード３４を備えており、クリーニングブラシ３２及びクリーニングブレード３４によって、中間転写ベルト１６上の残留トナーや紙粉等を除去するようになっている。
【００３３】
プリンタ１０の記録用紙Ｐの搬送経路と反対側の側面近傍には、プリンタ１０の各部の駆動制御を行う制御ユニット３６が設けられている。また、画像形成ユニット１２の下側には、帯電された感光体２８の表面に各色に対応した露光光Ｌ（ＬＹ、ＬＭ、ＬＣ、ＬＫ）を照射して静電潜像を形成する露光ユニット４０が設けられている。
【００３４】
露光ユニット４０は、４つの画像形成ユニット１２Ｙ、１２Ｍ、１２Ｃ、１２Ｋに共通の１つのユニットで構成されており、４つの半導体レーザ（図示省略）を各色の色材階調データに応じて変調して、これらの半導体レーザから露光光ＬＹ、ＬＭ、ＬＣ、ＬＫを階調データに応じて出射するように構成されている。なお、露光ユニット４０は、各画像形成ユニット１２毎に個別に設けてもよい。
【００３５】
また、露光ユニット４０は、矩形のフレーム３８で密閉されており、内部には、各露光光Ｌを主走査方向に走査するためのｆθレンズ（図示省略）及びポリゴンミラー４２が設けられている。フレーム３８の上面には、４本の露光光ＬＹ、ＬＭ、ＬＣ、ＬＫを、各画像形成ユニット１２Ｙ、１２Ｍ、１２Ｃ、１２Ｋの感光体２８に向けて出射するためのガラス窓４４Ｙ、４４Ｍ、４４Ｃ、４４Ｋが設けられている。
【００３６】
ここで、露光ユニット４０の半導体レーザから出射された露光光ＬＹ、ＬＭ、ＬＣ、ＬＫはポリゴンミラー４２に照射され、このポリゴンミラー４２から反射した光がｆθレンズを介して偏向走査される。ポリゴンミラー４２で偏向走査された露光光ＬＹ、ＬＭ、ＬＣ、ＬＫは、結像レンズ及び複数枚のミラーからなる光学系（図示省略）を介して、感光体２８上の露光ポイントに走査露光される。
【００３７】
一方、露光ユニット４０の下側には、記録用紙Ｐが収納された給紙カセット４６が配置されている。また、給紙カセット４６の端部から鉛直方向上方には、記録用紙Ｐを搬送する用紙搬送路５０が設けられている。
【００３８】
用紙搬送路５０には、記録用紙Ｐを給紙カセット４６から送り出す給紙ロール４８と、記録用紙Ｐを１枚ずつ給紙させる用紙分離搬送用のロール対５２と、中間転写ベルト１６上の画像の移動タイミングと記録用紙Ｐの搬送タイミングを合わせる用紙先端位置合わせロール５４とが設けられている。ここで、給紙カセット４６から給紙ロール４８によって順次送出された記録用紙Ｐは、用紙搬送路５０を経由して、間欠的に回転する用紙先端位置合わせロール５４によって中間転写ベルト１６の二次転写位置まで一旦搬送され、停止される。
【００３９】
二次転写ロール２０の上方には、定着装置６０が設けられている。定着装置６０は、加熱された加熱ロール６２と、この加熱ロール６２に圧接された加圧ロール６４とを備えている。ここで、二次転写ロール２０によって各色のトナー像が転写された記録用紙Ｐは、加熱ロール６２と加圧ロール６４との圧接部で熱及び圧力により定着され、記録用紙Ｐの搬送方向下流側に設けられた排出装置の一例としての排紙ロール６６によって、プリンタ１０の上部に設けられた排出部６８に排出されるようになっている。また、トナー像の二次転写工程が終了した中間転写ベルト１６の表面は、クリーニング装置３０によって残留トナーや紙粉等が除去される。
【００４０】
図２に示される如く、制御ユニット３６は、メインコントロール部７０を含んでいる。メインコントロール部７０は、ＣＰＵ７２、ＲＡＭ７４、ＲＯＭ７６、Ｉ／Ｏ（入出力部）７８、及びこれらを接続するデータバスやコントロールバス等のバス８０を有している。
【００４１】
Ｉ／Ｏ７８には、前記プリンタ１０における搬送系や、画像形成のための走査露光系、現像系等の各処理系を制御し、管理するための印刷制御管理部８８が接続されている。
【００４２】
より詳細には、印刷制御管理部８８には、搬送制御部１００、走査露光制御部１０２、現像制御部１０４、転写制御部１０６、定着制御部１０８が接続され、各部の制御を管理している。
【００４３】
印刷制御管理部８８は、Ｉ／Ｏ７８ではなく、直接バス８０に接続された構成であってもよい。また、ここでは、印刷に関する制御を印刷制御管理部８８に集約する構成としたが、当該制御をメインコントロール部７０で実行する構成であってもよい。
【００４４】
また、Ｉ／Ｏ７８には、ＵＩ（ユーザ・インターフェイス）８２が接続されている。ＵＩ８２は、ユーザーからの入力指示を受け付け、かつユーザーへ画像処理に関する情報を報知する役目を有している。さらに、Ｉ／Ｏ７８には、ハードディスク８４が接続されている。また、Ｉ／Ｏ７８は、Ｉ／Ｆ８６を介して通信回線網９０に接続されている。
【００４５】
ここで、プリンタ１０では、トナーを用いて現像する場合に、当該トナーの需要と供給のバランスによって、相対的に長期間攪拌されるトナーと、相対的に短期間攪拌されるトナーとがあり、トナーの静電容量を含むコンディション（ＴＣ）が変化する場合がある（画像形成要素１）。
【００４６】
また、画像形成行程における経時的変化や記録用紙の材質等により、所望の画像濃度を得られない場合がある（画像形成要素２）。
【００４７】
さらに、画像データに基づいて生成される階調データ（Ｃin）と結果として記録用紙Ｐ上に形成される画像の濃度データ（Ｄout）との特性曲線が変化する場合がある（画像形成要素３）。
【００４８】
このような、画像形成要素１〜３を含み、本実施の形態では、図３（Ａ）に示される如く、中間転写ベルト１６上に基準画像１１０（以下、「パッチ１１０」という）を形成し、調整を実行している。
【００４９】
このパッチ１１０の表面の濃度は、中間転写ベルト１６の搬送経路上の幅方向両端部における対向するように、適宜位置（例えば、図１のテンションロール２４とバックアップロール２６との間の対向位置）に設けられた一対のセンサ１１２Ａ、１１２Ｂの内、センサ１１２Ａで読み取られるようになっている。なお、センサ１１２Ｂは、中間転写ベルト１６の素面の濃度を検出する役目を有している（詳細後述）。
【００５０】
一対のセンサ１１２Ａ、１１２Ｂは、互いに、ローラ群（駆動ロール２２、テンションロール２４、バックアップロール２６）の軸線と平行な線上の異なる位置（中間転写ベルト１６の幅方向両端部）に配置されている。この一対のセンサ１１２Ａ、１１２Ｂで読み取られた出力データは、画像形成要素の調整に適用される。
【００５１】
パッチ１１０は、それぞれの画像形成要素毎に、中間転写ベルト１６におけるセンサ１１２Ａの検出軌跡上に沿って、設けられている。
【００５２】
一方、中間転写ベルト１６におけるセンサ１１２Ｂの検出軌跡上には、中間転写ベルト１６の素面が対向している。なお、図３（Ａ）では、パッチ１１０のサイズと同一サイズ幅方向においてパッチ１１０と対称となるように素面枠１１０Ｓを図示してある（図３（Ａ）の素面枠群Ｇ１参照）。
【００５３】
図３（Ａ）に示される如く、中間転写ベルト１６は、前記センサ１１２Ａ、１１２Ｂに向けて、中間転写ベルト１６が図３（Ａ）の右方向に移動する（周回する）ようになっている。
【００５４】
図３（Ａ）に示される如く、センサ１１２Ａに最も近いパッチ群は、ＴＣ調整用パッチ群Ｇ２であり、中間転写ベルト１６の素面の濃度と、各色（ＣＭＹＫ）毎に形成されたパッチ１１０の表面の濃度を検出する。
【００５５】
図３（Ａ）に示される如く、センサ１１２Ａから２番目に近いパッチ群は、画像濃度用パッチ群Ｇ３であり、各色（ＣＭＹＫ）毎に形成されたパッチ１１０の表面の濃度を検出する。
【００５６】
図３（Ａ）に示される如く、センサ１１２Ａから最も遠いパッチ群は、Ｃin−Ｄout調整用パッチ群Ｇ４であり、各色（ＣＭＹＫ）毎に形成された相対的に薄い濃度と濃い濃度の２種類のパッチ１１０の表面の濃度を検出する。
【００５７】
センサ１１２でのパッチ１１０の表面（中間転写ベルト１６の素面を含む）の濃度を読み取る場合、通常時は、搬送方向に沿って１パッチ当たり、１０ポイントのサンプリングポイントを設定している（図４（Ａ）参照）。言い換えれば、センサ１１２の検出点がパッチ１１０上の移動しているときに、１０箇所の出力データを抽出（サンプリング）している。
【００５８】
サンプリング周期は、中間転写ベルト１６の搬送速度、パッチ１１０のサイズによって決まるが、本実施の形態では、サンプリング周期は２msecとされ、これにより、１０ポイントをサンプリングすることになる。
【００５９】
この１０ポイントのサンプリングした出力データは、その最大値と最小値が排除され、残りの８データが平均値が、当該パッチ１１０の濃度となる。
【００６０】
また、パッチ１１０は、中間転写ベルト１６上に形成されるため、この中間転写ベルト１６の素面（地肌）の状態によって、出力値が異なる。そこで、中間転写ベルト１６の素面の状態との相対差等を考慮して、パッチ１１０の濃度を確定させる必要がある。
【００６１】
ところで、このパッチ１１０の形成の際、中間転写ベルト１６とセンサ１１２Ａ、１１２Ｂとの距離が一定であることが前提となっている。中間転写ベルト１６は、前述したようにローラ群２２、２４、２６に巻き掛けられて、周回しているため、肉厚方向の変動はほとんどなく移動する。
【００６２】
ところが、中間転写ベルト１６の材質によっては、プリンタ１０の動作停止状態の継続で、中間転写ベルト１６の特定の一部の領域がローラ群２２、２４、２６の何れかに巻き掛けられた状態となる。この結果、中間転写ベルト１６の当該一部の領域に巻き癖跡が残ることがある。
【００６３】
この巻き癖跡は、図３（Ｂ）に示される如く、中間転写ベルト１６の肉厚方向に波状に変動する形状となる。
【００６４】
このような巻き癖跡に重なるように、前記パッチ１１０が形成されると（図３（Ｃ）参照）、センサ１１２Ａ、１１２Ｂとの対向距離のみならず、対向角度も変化するため、センサ出力値に誤差が生じ、例えば、誤った画像形成要素調整が実行されたり、トナーが十分充填されているのにも関わらず、トナー補給指示が出る可能性がある。
【００６５】
図５は、中間転写ベルト１６に巻き癖跡が残っている状態で、中間転写ベルト１６の幅方向両端部の素面を、センサ１１２Ａ、１１２Ｂで複数周回検出した結果である（サンプリング周期：２msec）。
【００６６】
中間転写ベルト１６の幅方向両端部の素面のセンサ１１２Ａ、１１２Ｂからの出力値は、通常は、ほぼ２．０Ｖ程度に維持されるが、当該中間転写ベルト１６の巻き癖跡の発生位置では、センサ出力値が大きく上下に触れていることがわかる。但し、センサ１１２Ａ、１１２Ｂの出力値が同一、かつ同期がとられている。これは、中間転写ベルト１６の幅方向に渡り、同一の巻き癖がついているということになる。
【００６７】
そこで、本実施の形態では、前記パッチ１１０と中間転写ベルト１６の素面枠１１０Ｓとを、中間転写ベルト１６の幅方向両端部に対称的に設け、巻き癖に起因する出力変動を同一条件として、それぞれを独立したセンサ１１２Ａ、１１２Ｂで検出し、その相対差に基づいて、巻き癖に起因する検出誤差を相殺するようにしている（図４（Ｂ）参照）。
【００６８】
より具体的には、図３（Ｃ）の実線図示のパッチ１１０をセンサ１１２Ａで検出する時期と、一点鎖線図示の素面枠１１０Ｓをセンサ１１２Ｂで検出時期を同一時期とした。
【００６９】
図６は、印刷制御管理部８８におけるパッチ１１０及び素面枠１１０Ｓの濃度検出制御を、機能的示したブロック図である。なお、このブロック図は、あくまでも機能別に分類したものであり、印刷制御管理部８８のハード構成を限定するものではない。
【００７０】
印刷制御管理部８８には、画像形成実行制御部１１４が設けられ、前記搬送制御部１００、走査露光制御部１０２、現像制御部１０４、転写制御部１０６、定着制御部１０８がそれぞれ接続されている。
【００７１】
この画像形成実行制御部１１４には、パッチ形成指示信号が入力されるようになっている。画像形成実行制御部１１４では、パッチ形成指示信号の入力に基づき、前記搬送制御部１００、走査露光制御部１０２、現像制御部１０４、転写制御部１０６、定着制御部１０８のそれぞれを制御して、中間転写体１６上にパッチ１１０を形成する。
【００７２】
パッチ１１０の形成に応じて、画像形成実行制御部１１４では、センサ１１２Ａ、１１２Ｂによるパッチ１１０及び素面枠１１０Ｓのサンプリング周期のクロックを発生しており、このクロックは、サンプリング実行指示部１１６へ出力される。
【００７３】
サンンプリング実行指示部１１６は、センサ出力データ抽出部１１８Ａ、１１８Ｂに接続されており、中間転写体１６上におけるパッチ１１０の形成処理に準じて、センサ１１２Ａによるデータ抽出、並びに素面枠１１０Ｓの領域内のデータ抽出を開始するべく、センサ出力データ抽出部１１８Ａ、１１８Ｂにサンプリング実行を指示する。
【００７４】
本実施の形態では、サンプリングポイント数は１０ポイントに設定され、サンプリング実行指示部１１６では、センサ出力データ抽出部１１８Ａ、１１８Ｂに対して、１パッチ１１０あたり（及び１素面枠１１０Ｓあたり）、１０ポイント分の出力データを抽出する。このデータ抽出は、図３（Ａ）に示した各群Ｇ１、Ｇ２、Ｇ３、Ｇ４のそれぞれにおいて実行される。
【００７５】
センサ出力データ抽出部１１８Ａ、１１８Ｂは、それぞれセンサ出力データ一時格納部１２４Ａ、１２４Ｂに接続され、センサ出力データ抽出部１１８Ａで抽出した出力データをこのセンサ出力データ一時格納部１２４Ａへ格納し、センサ出力データ抽出部１１８Ｂで抽出した出力データをこのセンサ出力データ一時格納部１２４Ｂへ格納する。
【００７６】
出力データ一時格納部１２４Ａ、１２４Ｂは、サンプリグポイント数の格納が完了した時点で、一時格納したセンサ出力データをそれぞれセンサ出力データ解析部１２６へ送出するようになっている。
【００７７】
センサ出力データ解析部１２６では、入力した所定数（１０ポイント）の最大値と最小値を除く処理、同時に抽出したパッチ１１０の出力値と、素面枠１１０Ｓの出力値との相対差の演算、並びに平均値を演算する。
【００７８】
このセンサ出力データ解析部１２６における演算結果（平均値）が各パッチ１１０（及び中間転写ベルト１６の素面）の濃度データとなる。
【００７９】
センサ出力データ解析部１２６は、画像形成要素調整制御部１３８に接続されている。
【００８０】
画像形成要素調整制御部１３８は、少なくともＴＣ調整（画像形成要素１）、画像濃度調整（画像形成要素２）、Ｃin−Ｄout調整（画像形成要素３）を実行するべく、前記画像形成実行制御部１１４と連携して処理するようになっている。
【００８１】
以下に本実施の形態の作用を説明する。
【００８２】
（画像形成手順）
画像データは、さらにイエロー（Ｙ）、マゼンタ（Ｍ）、シアン（Ｃ）、ブラック（Ｋ）の４色の色材階調データに変換され、露光ユニット４０に順次出力される。露光ユニット４０では、各色の色材階調データに応じて各露光光Ｌを出射して、各感光体２８に走査露光を行い、潜像（静電潜像）が形成される。
【００８３】
感光体２８上に形成された静電潜像は、現像部によって、それぞれイエロー（Ｙ）、マゼンタ（Ｍ）、シアン（Ｃ）、ブラック（Ｋ）の各色のトナー像として顕在化される（現像）。そして、各画像形成ユニット１２Ｙ、１２Ｍ、１２Ｃ、１２Ｋの感光体２８上に順次形成された各色のトナー像は、４つの一次転写ロール１８Ｙ、１８Ｍ、１８Ｃ、１８Ｋによって中間転写ベルト１６上に順次多重転写される。
【００８４】
中間転写ベルト１６上に多重転写された各色のトナー像は、二次転写ロール２０によって、搬送されてきた記録用紙Ｐ上に二次転写される。そして、記録用紙Ｐ上の各色のトナー像が定着装置６０で定着され、定着後の記録用紙Ｐは、排出トレイ６８に排出される。
【００８５】
トナー像の転写工程が終了した後の感光体２８の表面は、クリーニングユニット７６によって残留トナーや紙粉等が除去される。また、中間転写ベルト１６上の残留トナーや紙粉等が、クリーニング装置３０で除去される。
【００８６】
（パッチによる画像形成要素調整）
ところで、プリンタ１０では、トナーの静電容量を含むコンディション（ＴＣ）が変化したり、所望の画像濃度を得られなかったり、階調データ（Ｃin）と濃度データ（Ｄout）との特性曲線が変化する場合がある（画像形成要素１〜３）。
【００８７】
本実施の形態では、中間転写ベルト１６上にパッチ１１０を形成し、このパッチ１１０の表面の濃度をセンサ１１２で読み取り、画像形成要素１〜３の調整を行っている。
【００８８】
（パッチ形成から濃度読取手順）
図７は、本実施の形態に係る、画像形成要素調整のためのパッチ１１０の形成からその濃度読み取りまでの手順を示す制御フローチャートである。
【００８９】
ステップ１５０では、パッチ形成指示があったか否かが判断され、否定判定された場合はこのルーチンは終了する。また、ステップ１５０で肯定判定されると、ステップ１５２へ移行して、パッチ形成処理を実行し、ステップ１５４へ移行する。
【００９０】
ステップ１５４では、同時期に、センサ１１２Ａによりパッチ１１０の領域と、センサ１１２Ｂにより素面枠１１０Ｓの領域と、の出力データを抽出する。この抽出数（サウンプリングポイント数）は、本実施の形態では、１０ポイントであるが、このサンプリングポイント数に限定されるものではない。
【００９１】
なお、この抽出は、パッチ１１０の形成位置が明確でなくても、中間転写ベルト１６の素面の出力データがほぼ決まっている（図５では、２．０Ｖｏｌｔ前後）ため、センサ１１２Ａ、１１２Ｂの出力データが大きく変化することで、パッチ１１２上の出力データであることを認識可能である。
【００９２】
次のステップ１５６では、出力データを解析する。本実施の形態では、まず、サンプリングした出力データの最大値と最小値とを排除する。
【００９３】
次に、同時期に検出したパッチ１１０の領域と、素面枠１１０Ｓの領域とのデータとの差分を演算する。すなわち、パッチ１１０の濃度は、中間転写ベルト１６の素面がベースとなっているため、この素面の濃度が大きく変動する巻き癖があっても、それぞれの差分を演算すれば、巻き癖による中間転写ベルト１６の素面の検出値の変動分を相殺することになる。ステップ１５６では、さらに、前記相殺された出力データの平均値を演算し、これをもって、パッチ１１０の濃度データとする。
【００９４】
次のステップ１５８では、画像形成要素１〜３の調整を実行し、このルーチンは終了する。
【図面の簡単な説明】
【００９５】
【図１】本発明の実施形態に係るプリンタの概略図である。
【図２】本実施の形態に係るプリンタにおける制御ユニットのハード構成を示すブロック図である。
【図３】（Ａ）は本実施の形態に係る中間転写ベルトの展開図、（Ｂ）は中間転写ベルトにおける巻き癖がついた領域の側面図、（Ｃ）は図３（Ｂ）の上面図である。
【図４】パッチの平面図である。
【図５】横軸をサンプリング周期、縦軸を中間転写ベルトの素面の出力データとした場合の、本実施の形態に係る一対のセンサ出力特性図である。
【図６】本実施の形態に係る印刷制御管理部におけるパッチ形成処理のための機能ブロック図である。
【図７】本実施の形態に係るパッチ形成処理から濃度読み取りまでの手順を示す制御フローチャートである。
【符号の説明】
【００９６】
Ｐ    記録用紙
１０    プリンタ（画像形成装置）
１２Ｙ、１２Ｍ、１２Ｃ、１２Ｋ    画像形成ユニット（画像形成部）
１４    転写部（画像形成部）
１６    中間転写ベルト
１８Ｙ、１８Ｍ、１８Ｃ、１８Ｋ    一次転写ロール（画像形成部）
２０    二次転写ロール（画像形成部）
２２    駆動ロール
２４    テンションロール
２６    バックアップロール
２８Ｙ、２８Ｍ、２８Ｃ、２８Ｋ    感光体（画像形成部）
３６    制御ユニット
４０    露光ユニット（画像形成部）
６０    定着装置（定着部）
７０    メインコントロール部
７２    ＣＰＵ
７４    ＲＡＭ
７６    ＲＯＭ
７８    Ｉ／Ｏ
８８    印刷制御管理部
１００    搬送制御部
１０２    走査露光制御部
１０４    現像制御部
１０６    転写制御部
１０８    定着制御部
１１０    パッチ（基準画像）
１１０Ｓ    素面枠
１１２Ａ、１１２Ｂ    センサ
１１４    画像形成実行制御部（基準画像形成転写手段）
１１６    サンプリング実行指示部
１１８Ａ、１１８Ｂ    センサ出力データ抽出部（抽出手段）
１２４Ａ、１２４Ｂ    センサ出力データ一時格納部
１２６    センサ出力データ解析部（濃度確定手段）
１３８    画像形成要素調整制御部
【図１】
2010145791.tif 000003
【図２】
2010145791.tif 000004
【図３】
2010145791.tif 000005
【図４】
2010145791.tif 000006
【図５】
2010145791.tif 000007
【図６】
2010145791.tif 000008
【図７】
2010145791.tif 000009